(57)【特許請求の範囲】
【請求項１】
乗かごおよび機械室にそれぞれ設けられ相互に通話可能とした親機と子機からなるインタホンと、このインタホンに駆動電力を供給するバッテリ電源とを有するエレベータの通話装置において、
前記インタホンの親機もしくは子機のいずれかを電話回線を介して監視センタ装置へ接続する通話制御装置と、前記インタホンの親機および子機に設けられる呼出し釦のいずれかの操作に応じてＯＮ・ＯＦＦ切替を行なう第１のリレーと、前記通話制御装置を制御するマイクロコンピュータへ前記バッテリ電源からの駆動電力を供給するための第２のリレーと、前記バッテリ電源と前記マイクロコンピュータとの間に介設され前記駆動電力の電圧を前記マイクロコンピュータが必要とする所定電圧に変換するコンバータとを備え、前記いずれかの呼出し釦の操作に応じて、前記第１のリレーおよび第２のリレーの少なくとも一方により前記バッテリ電源とマイクロコンピュータとを接続し、前記マイクロコンピュータへ前記バッテリ電源から駆動電力を供給することにより、前記マイクロコンピュータにより前記通話制御装置を制御し、前記インタホンおよび監視センタ装置間で電話回線を接続し通話可能とするよう構成したことを特徴とするエレベータの通話装置。
【発明の詳細な説明】
【０００１】
【発明の属する技術分野】
本発明は、乗かごや機械室にインタホンを備えたエレベータの通話装置に関する。
【０００２】
【従来の技術】
最近のエレベータにおいては、機械室のインタホン親機と乗かごのインタホン子機とを互いに接続するとともに、前記のインタホン親機またはインタホン子機を、必要に応じて電話回線を介して監視センタ装置に接続するようになっている。しかしながら、比較的古い既設エレベータにおいては、機械室のインタホン親機と乗かごのインタホン子機とを接続するのみで、電話回線を介して監視センタ装置に接続するようになっていなかった。
【０００３】
そこで、上述した既設エレベータにおいても、インタホン親機やインタホン子機を監視センタ装置に接続できるようにして欲しいという要望が出されており、このような要望を満たすため、従来使用している端末装置の電話回線を介して監視センタ装置に接続することが提案されている。
【０００４】
【発明が解決しようとする課題】
ところで、上述した従来技術では、従来使用している端末装置の電話回線を介して乗かごや機械室のインタホンを監視センタ装置に接続するため、インタホン用のバッテリ電源の他に新たな電源装置が必要になり、比較的大きな費用がかかるという問題があった。
【０００５】
本発明はこのような従来技術における実情に鑑みてなされたもので、その目的は、乗かごや機械室のインタホンを監視センタ装置に接続するため新たな電源装置を要せずに済むとともに、インタホン用のバッテリ電源の電力消費量を少なくすることのできるエレベータの通話装置を提供することにある。
【０００６】
【課題を解決するための手段】
上記目的を達成するため本発明は、乗かごおよび機械室にそれぞれ設けられ相互に通話可能とした親機と子機からなるインタホンと、このインタホンに駆動電力を供給するバッテリ電源とを有するエレベータの通話装置において、前記インタホンの親機もしくは子機のいずれかを電話回線を介して監視センタ装置へ接続する通話制御装置と、前記インタホンの親機および子機に設けられる呼出し釦のいずれかの操作に応じてＯＮ・ＯＦＦ切替を行なう第１のリレーと、前記通話制御装置を制御するマイクロコンピュータへ前記バッテリ電源からの駆動電力を供給するための第２のリレーと、前記バッテリ電源と前記マイクロコンピュータとの間に介設され前記駆動電力の電圧を前記マイクロコンピュータが必要とする所定電圧に変換するコンバータとを備え、前記いずれかの呼出し釦の操作に応じて、前記第１のリレーおよび第２のリレーの少なくとも一方により前記バッテリ電源とマイクロコンピュータとを接続し、前記マイクロコンピュータへ前記バッテリ電源から駆動電力を供給することにより、前記マイクロコンピュータにより前記通話制御装置を制御し、前記インタホンおよび監視センタ装置間で電話回線を接続し通話可能とするよう構成してある。
【０００７】
上記のように構成した本発明では、今まで用いられていたインタホンのバッテリ電源を監視センタ装置との接続用電源としても兼用するため、新たな電源装置が不要となり、費用を削減できるばかりか、インタホンの通話中のみバッテリ電源の電力が消費されるため、前記のバッテリ電源の電力消費量を少なくすることができる。
【０００８】
【発明の実施の形態】
以下、本発明のエレベータの通話装置の実施の形態を図に基づいて説明する。
図１は本発明の一実施形態に係るエレベータの通話装置を示すブロック図、図２は図１の通話装置に備えられるインタホンおよび監視センタ装置間で通話を行なう際の処理手順を示すフローチャートである。
【０００９】
図１に示す本実施形態の通話装置は、バッテリ電源１と、このバッテリ電源１から駆動電力が供給されるインタホン、例えば図示しない機械室、乗かごにそれぞれ設置されるインタホン親機２およびインタホン子機３とを備えている。これらのインタホン親機２およびインタホン子機３は、電話回線制御装置４および電話回線５を介して監視センタ装置６と接続可能である。また、前記の電話回線制御装置４は、外部電源装置７とも選択的に接続可能である。
【００１０】
上述したインタホン親機２は、インタホン子機３を呼び出す呼出し釦２ａと、３つの外部端子Ｔ１〜Ｔ３とを有し、これらのうち外部端子Ｔ１、Ｔ２がそれぞれバッテリ電源１の（＋）端子および（−）端子に接続されている。同様に、上述したインタホン子機３も、インタホン親機２を呼び出す呼出し釦３ａと、３つの外部端子Ｔ４〜Ｔ６とを有し、これらのうち外部端子Ｔ４、Ｔ５がそれぞれバッテリ電源１の（＋）端子および（−）端子に接続されている。インタホン親機２の外部端子Ｔ３とインタホン子機３の外部端子Ｔ６とは互いに接続されており、これらのインタホン親機２およびインタホン子機３は相互間で通話可能である。
【００１１】
上述した電話回線制御装置４は、インタホン親機２およびインタホン子機３を電話回線５を介して監視センタ装置６に接続する通話制御装置８と、この通話制御装置８の接続動作を制御するマイクロコンピュータ９と、前記の呼出し釦２ａ、３ａの呼出し操作に応じてＯＮ・ＯＦＦ切替を行なう第１のリレー１０と、マイクロコンピュータ９に、前記のバッテリ電源１からの駆動電力を供給するための第２のリレー１１と、前記のバッテリ電源１からの駆動電力の電圧を、マイクロコンピュータ９が必要とする所定電圧に変換するコンバータ１２と、バッテリ電源１の電源回路と外部電源装置７の電源回路とを切替える切替スイッチ１３とを備えている。
【００１２】
上述した第１のリレー１０は、インタホン親機２の外部端子Ｔ３およびインタホン子機３の外部端子Ｔ６の両方に接続されており、この第１のリレー１０の付勢に伴って閉じる常開接点１０ａは、バッテリ電源１の（＋）端子とコンバータ１２の外部端子Ｔ７との間に介設されている。
【００１３】
上述した第２のリレー１１は、マイクロコンピュータ９に接続されるとともに、このマイクロコンピュータ９により制御されるようになっており、この第２のリレー１１の付勢に伴って閉じる他の常開接点１１ａは、前記の常開接点１０ａに対して並列接続されている。
【００１４】
上述したコンバータ１２の外部端子Ｔ８は、切替スイッチ１３を介してバッテリ電源１の（−）端子に接続され、一方、コンバータ１２の外部端子Ｔ９、Ｔ１０は、マイクロコンピュータ９に接続されている。
【００１５】
この実施形態にあっては、図２に示す処理手順にしたがって例えばインタホン親機２および監視センタ装置６間で通話を行なうようになっている。すなわち、まず手順Ｓ１としてインタホン親機２の呼出し釦２ａの押圧操作によりいわゆる「呼び」が発生すると、手順Ｓ２としてバッテリ電源１の（＋）端子−外部端子Ｔ１−インタホン親機２の呼出し釦２ａ−外部端子Ｔ３−第１のリレー１０−切替スイッチ１３−バッテリ電源１の（−）端子の回路が閉成されるので、前記の第１のリレー１０の付勢に伴って常開接点１０ａがＯＮする。これに伴って、手順Ｓ３として、バッテリ電源１の（＋）端子−常開接点１０ａ−外部端子Ｔ７−コンバータ１２−外部端子Ｔ８−切替スイッチ１３−バッテリ電源１の（−）端子の回路が閉成されるので、バッテリ電源１からの駆動電力がコンバータ１２で変換された後、このコンバータ１２からマイクロコンピュータ９に供給される。
【００１６】
次いで手順Ｓ４として、マイクロコンピュータ９のプログラム動作が開始されるとともに、手順Ｓ５として、第２のリレー１１の付勢により他の常開接点１１ａがＯＮすることによって、前記の呼出し釦２ａの押圧操作が中断して常開接点１０ａがＯＦＦしても、バッテリ電源１の（＋）端子−他の常開接点１１ａ−外部端子Ｔ７−コンバータ１２−外部端子Ｔ８−切替スイッチ１３−バッテリ電源１の（−）端子の回路が閉成されているので、引き続きバッテリ電源１からの駆動電力がマイクロコンピュータ９に供給される。
【００１７】
次いで手順Ｓ６として、前記のプログラム動作の開始に伴ってマイクロコンピュータ９が通話制御装置８を動作させることにより、前記のインタホン親機２を電話回線５を介して監視センタ装置６に接続し、これらのインタホン親機２および監視センタ装置６間で通話可能な状態にした後、手順Ｓ７として、インタホン親機２および監視センタ装置６間で通話が終了すると、監視センタ装置６から通話終了信号が電話回線５および通話制御装置８を介してマイクロコンピュータ９に送信されるので、手順Ｓ８として、このマイクロコンピュータ９が第２のリレー１１を消磁することにより常開接点１１ａがＯＦＦして、上述したバッテリ電源１の（＋）端子−他の常開接点１１ａ−外部端子Ｔ７−コンバータ１２−外部端子Ｔ８−切替スイッチ１３−バッテリ電源１の（−）端子の回路が解除されると、手順Ｓ９として、マイクロコンピュータ９の電源がＯＦＦし、インタホン親機２および監視センタ装置６間の通話処理を終了するようになっている。
【００１８】
このように構成した実施形態では、インタホン親機２に駆動電力を供給するバッテリ電源１を用いて、インタホン親機２と監視センタ装置６との通話を可能にしたので、新たな電源装置が不要となり、コスト削減を図れる。また、インタホン親機２の呼出し釦２ａの操作に伴ってインタホン親機２の通話中のみバッテリ電源１の電力が消費されるため、このバッテリ電源１の電力消費量を少なくすることができる。
【００１９】
なお、この実施形態では、インタホン親機２および監視センタ装置６間で通話する場合について例示したが、インタホン子機３および監視センタ装置６間で通話する場合についても同様である。さらに、この実施形態では、必要に応じて切替スイッチ１３を切替えることにより、外部電源装置７から駆動電力を供給することもできる。
【００２０】
【発明の効果】
本発明は以上のように構成したので、乗かごや機械室のインタホンを電話回線を介して監視センタ装置に接続するために、新たな電源装置を要せずに済むとともに、前記のインタホンのバッテリ電源の電力消費量を少なくすることができる。したがって、低コストで小型なエレベータの通話装置が得られるという効果がある。
【図面の簡単な説明】
【図１】本発明の一実施形態に係るエレベータの通話装置を示すブロック図である。
【図２】図１の通話装置に備えられるインタホンおよび監視センタ装置間で通話を行なう際の処理手順を示すフローチャートである。
【符号の説明】
１  バッテリ電源
２  インタホン親機（インタホン）
２ａ  呼出し釦
３  インタホン子機（インタホン）
３ａ  呼出し釦
５  電話回線
６  監視センタ装置
８  通話制御装置
９  マイクロコンピュータ
１０  第１のリレー
１０ａ  常開接点
１１  第２のリレー
１１ａ  常開接点
１２  コンバータ
【図１】
0003685578.tif 000002
【図２】
0003685578.tif 000003